(57)【要約】【課題】  吹出し口から吹出される空気の風速分布の偏りがほとんどなく、また、吹出し口から吹出す空気の冷気感を低減することのできる加湿機能を備えた空気清浄機を提供する。【解決手段】  吸込み口２と吹出し口３を有する本体１と、本体１内に設けられ吸込み口２より吸込まれる空気を浄化する集塵フィルター１０と、本体１内に設けられ吸込み口２より吸込まれる空気を加湿する加湿ユニット５と、本体１内に設けられ空気を吸込み口２から吸込み、集塵フィルター１０及び加湿ユニット５によりそれぞれ浄化及び加湿された空気を吹出し口３から吹出す気流を生成するファン７とを備え、集塵フィルター１０をファン７よりもファン７の生成する気流の下流側に配置し、吹出し口３を本体１の前面側に設けると共に、最大風量送風時の吹出し口３における平均風速が所定値となるように吹出し口３に対向する集塵フィルター１０の開口部の面積及びファン７の回転速度を設定するようにした。【選択図】図１
2006326466.tif 000002
【特許請求の範囲】
【請求項１】
吸込み口と吹出し口を有する本体と、
前記本体内に設けられ前記吸込み口より吸込まれる空気を浄化する集塵フィルターと、
前記本体内に設けられ前記吸込み口より吸込まれる空気を加湿する加湿ユニットと、
前記本体内に設けられ空気を前記吸込み口から吸込み、前記集塵フィルター及び前記加湿ユニットによりそれぞれ浄化及び加湿された空気を前記吹出し口から吹出す気流を生成するファンと、を備え、
前記集塵フィルターを前記ファンよりも前記ファンの生成する気流の下流側に配置し、
前記吹出し口を前記本体の前面側に設けると共に、最大風量送風時の前記吹出し口における平均風速が所定値となるように前記吹出し口に対向する前記集塵フィルターの開口部の面積及び前記ファンの回転速度を設定することを特徴とする空気清浄機。
【請求項２】
吸込み口を本体の前面側でかつ吹出し口の下方に設けたことを特徴とする請求項１記載の空気清浄機。
【発明の詳細な説明】
【技術分野】
【０００１】
本発明は、加湿機能を備えた空気清浄機に関すものである。
【背景技術】
【０００２】
従来の加湿機能付き空気清浄機に、背面側に吸込み口、前面側に吹出し口を有し、吹出し口側に設けたファンの上流側に、空気を清浄化するための集塵フィルター、さらにその上流側に気化式加湿装置が設けられており、吸込み口から吸込まれた空気は気化式加湿装置により加湿され、集塵フィルターを通過して清浄化されて、ファンにより吹出し口から吹出すように構成したものがある（例えば、特許文献１参照）。
【０００３】
【特許文献１】特開平１１−３１４０４８号公報（第３頁、図１）
【発明の開示】
【発明が解決しようとする課題】
【０００４】
特許文献１に記載された空気清浄機は、気化式加湿装置で加湿され、集塵フィルターで清浄化された空気を、吹出し口の直前に設けたファンで吹出しているため、ファンの回転により吹出される空気の風速分布に大きな偏りがあった。
また、気化式加湿装置によって加湿された空気は、気化によって温度が下がるため、風速が大きい空気が吹出されると、吹出し口の前に居る人が冷風によって寒さを感じてしまうという問題があった。
【０００５】
本発明は、上記の課題を解決するためなされたもので、吹出し口から吹出される空気の風速分布の偏りがほとんどなく、また、吹出し口から吹出す空気の冷気感を低減することのできる加湿機能を備えた空気清浄機を提供することを目的としたものである。
【課題を解決するための手段】
【０００６】
本発明に係る空気清浄機は、吸込み口と吹出し口を有する本体と、この本体内に設けられ、吸込み口より吸込まれる空気を浄化する集塵フィルターと、本体内に設けられ、吸込み口より吸込まれる空気を加湿する加湿ユニットと、本体内に設けられ、空気を吸込み口から吸込み、集塵フィルター及び加湿ユニットによりそれぞれ浄化及び加湿された空気を吹出し口から吹出す気流を生成するファンとを備え、集塵フィルターをファンよりもこのファンの生成する気流の下流側に配置し、吹出し口を本体の前面側に設けると共に、最大風量送風時の吹出し口における平均風速が所定値となるように吹出し口に対向する集塵フィルターの開口部の面積及びファンの回転速度を設定するようにしたものである。
【発明の効果】
【０００７】
本発明に係る空気清浄機によれば、ファンの回転により吹出される空気の風速分布にほとんど偏りがなく、また、室内に居る人の冷風感を低減することができ、さらに、運転時に室内の湿度が低い場合でもこれを高めることができるので、好適な室内環境を得ることができる。
【発明を実施するための最良の形態】
【０００８】
図１は本発明の一実施の形態に係る空気清浄機の模式的縦断面図、図２は図１の空気清浄機の外観斜視図である。
両図において、１は空気清浄機の本体で、前面側下部には室内空気の吸込み口２が設けられており、吸込み口２の上部には加湿、清浄化された空気の吹出し口３が設けられている。
【０００９】
吸込み口２の下流側（後部側）には脱臭フィルター４が設けられており、さらにその下流側には加湿ユニット５が設置されている。６は加湿ユニット５の下流側と本体１の後壁との間に設けられた風路で、ファン７が設置されており、前面側（加湿ユニット５側）には吸気口８が設けられ、上部には吐出口９が設けられている。１０は吹出し口３の上流側において吹出し口３の直前に設けた例えばＨＥＰＡフィルターの如き集塵フィルターである。
【００１０】
上記のように構成した空気清浄機において、本体１の前面側に設けた操作パネル１１の運転スイッチをＯＮすると、ファン７が一定の回転数で回転する。ファン７の回転により室内の汚れた空気が矢印ａで示すように吸込口２から本体１内に取り込まれ、脱臭フィルター４、加湿ユニット５を通過して脱臭、加湿される。脱臭、加湿された空気（矢印ｂで示す）は、ファン７の回転により吸気口８から吐出口９に進むが、このとき風速分布に偏りが生じる。そして、ファン７より下流側に設けられた集塵フィルター１０により集塵されて清浄な空気となり、また、集塵フィルター１０の圧力損失により風速分布が均一化され、本体１の前面側に設けた吹出し口３から室内に向けて前方向に吹出される。
【００１１】
吹出し口３に対する集塵フィルター１０の開口部の面積及びファン７の回転速度は、最大風量送風時の吹出し口における平均風速が所定値となるように設定される。前記所定値は、好適には１ｍ／ｓｅｃ以下となるように設定される。本体１の前面側に設けた吹出し口３を通過した清浄な空気は、矢印ｃで示すように前方に吹出すようになっている。最大風量送風時の吹出し口における平均風速を１ｍ／ｓｅｃ以下とすると、吹出し口３の前方２ｍの位置では風速が０．３ｍ／ｓｅｃ以下になり、このため人の冷風感を低減することができる。なお、吹出し口３から吹出す空気は、前方向であれば、斜め上方であってもよい。
また、吸込み口２を本体１の前面側に設けたので、本体１の背面を室内の壁に近接して配置することができ、本体１の設置面積を省スペース化できる。
さらに、吸込み口２を吹出し口３の下方に設けたので、吹出し口３より吹出された加湿空気が直ちに床面に吹き付けられることがなく、床面が加湿空気により濡れることを防止できる。
【００１２】
本発明は、吸込み口より吸込まれる空気を浄化する集塵フィルターを備え、集塵フィルターをファンよりもファンの生成する気流の下流側に配置するので、ファンの回転により集塵フィルターを通過した後に吹出される清浄化された空気の風速分布にほとんど偏りがない。また、吸込み口より吸込まれる空気を加湿する加湿ユニットを備え、吹出し口を本体の前面側に設けると共に、最大風量送風時の吹出し口における平均風速が所定値となるように吹出し口に対向する集塵フィルターの開口部の面積及びファンの回転速度を設定するので、加湿された空気に対する人の冷風感を低減することができ、好ましい室内環境を得ることができる。
【００１３】
上記の説明では、図示の空気清浄機に本発明を実施した場合を示したが、これに限定するものではなく、他の構造の空気清浄機にも本発明を実施することができる。
【図面の簡単な説明】
【００１４】
【図１】本発明の一実施の形態に係る空気清浄機の模式的縦断面図である。
【図２】図１の外観斜視図である。
【符号の説明】
【００１５】
１  空気清浄機の本体、２  吸込み口、３  吹出し口、４  脱臭フィルター、５  加湿ユニット、７  ファン、１０  集塵フィルター。
【図１】
2006326466.tif 000003
【図２】
2006326466.tif 000004